(57)【要約】      （修正有）【課題】良好な透気状態を確保する前提で経血の浸出を効果的に阻止できると共に、厚さを大幅に低減することができる、液吸収性透気性生理用ナプキンを提供する。【解決手段】肌当接乾燥層１、透気性液貯蔵コア層２、高分子複合ＳＭＳ不織布層であるＳＭＳ防血撥水不織布層３及び底層４を重ねて構成され、肌当接乾燥層１が透気性液貯蔵コア層２の吸収面に位置し、ＳＭＳ防血撥水不織布層３が透気性液貯蔵コア層２の裏面に位置し、底層４がＳＭＳ防血撥水不織布層４の透気面に位置する。ＳＭＳ防血撥水不織布層３が透気性液貯蔵コア層２の裏面に位置することで、防水の目的を達成すると共に、経血の漏れ出しを効果的に阻止し、防水、血阻止、透気といった三者が共存する前提で、厚さを大幅に低減し、また、大きい液吸収量で厚さを大幅に低減すると共に、大吸収量による経血吸収量を向上させた。【選択図】図１
0003216217.tif 000002
【実用新案登録請求の範囲】
【請求項１】
肌当接乾燥層（１）、透気性液貯蔵コア層（２）、ＳＭＳ防血撥水不織布層（３）及び底層（４）を重ねて構成されていて、
肌当接乾燥層（１）が透気性液貯蔵コア層（２）の吸収面に位置し、ＳＭＳ防血撥水不織布層（３）が透気性液貯蔵コア層（２）の裏面に位置し、底層（４）がＳＭＳ防血撥水不織布層（３）の透気面に位置する
ことを特徴とする防血でき漏れ出しがない液吸収性透気性生理用ナプキン。
【請求項２】
前記ＳＭＳ防血撥水不織布層（３）は、１層のＳＭＳ防血撥水不織布で構成されまたは複数層のＳＭＳ防血撥水不織布を重ねて構成されている
請求項１に記載の防血でき漏れ出しがない液吸収性透気性生理用ナプキン。
【請求項３】
前記ＳＭＳ防血撥水不織布は、１４〜２００グラム／平方メートルである
請求項１または２に記載の防血でき漏れ出しがない液吸収性透気性生理用ナプキン。
【請求項４】
前記透気性液貯蔵コア層（２）の表面層は肌当接乾燥層（１）であり、裏面層はＳＭＳ防血撥水不織布層（３）である
請求項１または２に記載の防血でき漏れ出しがない液吸収性透気性生理用ナプキン。
【請求項５】
前記ＳＭＳ防血撥水不織布層（３）は、高分子複合ＳＭＳ不織布層である
請求項１に記載の防血でき漏れ出しがない液吸収性透気性生理用ナプキン。
【請求項６】
前記高分子複合ＳＭＳ不織布層は、第１層のＳＭＳ防血撥水複合不織布（３０１）、高分子樹脂層（３０２）及び第２層のＳＭＳ防血撥水複合不織布（３０３）を重ねて構成されていて、高分子樹脂層（３０２）が第１層のＳＭＳ防血撥水複合不織布（３０１）と第２層のＳＭＳ防血撥水複合不織布（３０３）の間に位置する
請求項３に記載の防血でき漏れ出しがない液吸収性透気性生理用ナプキン。
【請求項７】
前記底層（４）の底面に、間隔をおいて裏面粘着テープ（５）が吹き付けられている
請求項１に記載の防血でき漏れ出しがない液吸収性透気性生理用ナプキン。
【請求項８】
前記底層（４）の両側に、フラップ粘着テープ（６）が吹き付けられている
請求項１に記載の防血でき漏れ出しがない液吸収性透気性生理用ナプキン。
【請求項９】
前記肌当接乾燥層（１）は、スパンレース不織布またはホールパンチング不織布またはホールパンチングフィルムである
請求項１に記載の防血でき漏れ出しがない液吸収性透気性生理用ナプキン。
【請求項１０】
前記透気性液貯蔵コア層（２）は、高分子樹脂層（２０１）と無塵紙（２０２）を重ねて構成されていて、高分子樹脂層（２０１）が無塵紙（２０２）に位置する
請求項１に記載の防血でき漏れ出しがない液吸収性透気性生理用ナプキン。
【考案の詳細な説明】
【技術分野】
【０００１】
本考案は、経血液を速やかに吸収できるだけではなく、良好な透気状態を有することを確保する前提で経血の浸出を効果的に阻止できると共に、生理用ナプキンの使用上の快適度を大幅に向上させる前提で生理用ナプキンの厚さを大幅に低減することができる、防血でき漏れ出しがない液吸収性透気性生理用ナプキンに関し、生理用ナプキンの製造の分野に属する。
【背景技術】
【０００２】
本出願人による特許文献１「漏れ出しがない液吸収性透気生理用ナプキン」の生理用ナプキンは、肌当接乾燥層と３層の透気性液貯蔵コア層を重ねて構成されており、または肌当接乾燥層と２層の透気性液貯蔵コア層を重ねて構成されており、各層の透気性液貯蔵コア層が流体ガイド透気サブ層、液貯蔵透気サブ層及び撥液透気サブ層を重ねて構成されており、前記３層の透気性液貯蔵コア層の底層の両端に間隔をおいて離型紙に粘着される粘着テープ層が吹き付けられており、前記肌当接乾燥層がスパンレース不織布またはホールパンチング不織布またはホールパンチングフィルムであってよくかつスパンレース不織布またはホールパンチング不織布またはホールパンチングフィルムの裏面に１層の高分子樹脂が吹き付けられている。
【先行技術文献】
【特許文献】
【０００３】
【特許文献１】ＣＮ１０２９６１２１８Ｂ
【考案の概要】
【考案が解決しようとする課題】
【０００４】
背景技術に基づいて、生理用ナプキンが経血液を速やかに吸収できるだけではなく、生理用ナプキンが良好な透気状態を有することを確保する前提で経血の浸出を効果的に阻止できると共に、生理用ナプキンの使用上の快適度を大幅に向上させる前提で生理用ナプキンの厚さを大幅に低減することができる、防血でき漏れ出しがない液吸収性透気性生理用ナプキンを提供することを課題とする。
【課題を解決するための手段】
【０００５】
上記課題を解決するために、以下の構成を備える。
１、ＳＭＳ防血撥水不織布層が透気性液貯蔵コア層２の裏面に位置する設計は本考案の第１の技術的特徴である。
このようにする目的は以下のとおりである。経血血漿の総浸透圧が３１３ｍＯｓｍで７つの大気圧（５３３０ミリメートル水銀柱、１ミリメートル水銀柱＝０．１３３キロパスカル）に相当し、その他には結晶浸透圧であり、ＳＭＳ不織布が抗静水圧ｍｍＨ２０＞８０＞１１０＞１３０＞１５０＞２００＞２２０＞２５０＞２８０＞３００＞３００＞３００＞３００のようになって経血血漿の総浸透圧より大幅に小さいので、処理されていないＳＭＳ撥水不織布にとって水分子の通過のみを阻止でき、経血血漿の通過を効果的に阻止できないが、有機フッ素処理を行われた後のＳＭＳ不織布の抗静水圧ｍｍＨ２０が５３３０ミリメートル水銀柱より大幅に大きく、経血成分の通過を効果的に阻止できるだけではなく、良好な透気性を有し、ＳＭＳ不織布を塞がなく、ＳＭＳ不織布の重量を殆ど増加しなく、ＳＭＳ不織布の手触りを変更しないため、有機フッ素処理を行われた後のＳＭＳ不織布は経血血漿の通過を阻止すると共に、ＳＭＳ不織布の防水透気性能をも確保し、本出願はＳＭＳ防血撥水不織布を透気性液貯蔵コア層の裏面に設計して、防水し経血の漏れ出しを阻止する目的を達成すると共に、防水、血阻止、透気が共存する目的を実現した。
【０００６】
２、ＳＭＳ防血撥水不織布層が１層のＳＭＳ防血撥水不織布で構成されまたは複数層のＳＭＳ防血撥水不織布を重ねて構成されている設計は本考案の第２の技術的特徴である。
このように設計する目的は以下のとおりである。ＳＭＳ防血撥水不織布が常態下で経血血漿の通過を阻止できるが、女性の毎月の月経の出血時間が２〜７日持続し、毎回の出血量が約５０〜２００ミリリットルであるので、女性の排出経血流量が２０ｍｌに達した時こそ、非常に少ない経血がＳＭＳ防血撥水不織布に到達しかつＳＭＳ防血撥水不織布に阻止され、女性の排出経血流量が２０ｍｌ以上に達した時こそ、非常に少ない経血が人体陰部混合気圧圧力の作用下で微量に複数層のＳＭＳ防血撥水不織布層における第１層の不織布から浸出しかつ第２層に止められる。
【０００７】
３、高分子複合ＳＭＳ不織布層の設計は本考案の第３の技術的特徴である。
このように設計する目的は以下のとおりである。女性の毎月の月経の出血時間が２〜７日持続し、毎回の出血量が約５０〜２００ミリリットルであるが、毎回の出血量がいったいどのくらいかを確定できないため、女性が生理用ナプキンを使用する時、吸収量が大きい生理用ナプキンを選択するか、吸収量が小さい生理用ナプキンを選択するかためらって選択し難しい場合がしばしばあり、吸収量が大きい生理用ナプキンを選択した時、生理用ナプキンそのものが厚く、着用後にズボンの臀部から生理用ナプキンを着用した痕跡が明らかに見え、女性、特に職業を持つ女性に気まずくて、不快な思いをさせ、特に春、夏、秋の季節に発生し、吸収量が小さい生理用ナプキンを選択した時、厚さが小さくて着用後にズボンの臀部から生理用ナプキンの痕跡が見えないが、不確定な経血流量が２０ｍｌ以上に達した時、微量に浸出した経血がズボン、特に薄い色のズボンを汚染する場合がしばしばあり、女性を悩ませてしまう。本出願では二層のＳＭＳ防血撥水複合不織布の間に１層の高分子樹脂が吹き付けられており、該高分子樹脂の厚さが２ｍｍより小さいので、生理用ナプキンの厚さを大幅に増加することがなく、女性が着用した後ズボンの臀部から生理用ナプキンを着用した痕跡が見えないようにすると共に、生理用ナプキンの経血吸収量を５０％程度高めて女性、特に職業を持つ女性の生理、職場の特定の需要を解決した。
【０００８】
肌当接乾燥層、透気性液貯蔵コア層、ＳＭＳ防血撥水不織布層及び底層を重ねて構成されており、肌当接乾燥層が透気性液貯蔵コア層の吸収面に位置し、ＳＭＳ防血撥水不織布層が透気性液貯蔵コア層の裏面に位置し、底層がＳＭＳ防血撥水不織布層の透気面に位置する、防血でき漏れ出しがない液吸収性透気性生理用ナプキンである。
【考案の効果】
【０００９】
本考案は背景技術と比べて、一方、ＳＭＳ防血撥水不織布が透気性液貯蔵コア層の裏面に設計されており、防水の目的を達成すると共に、経血の漏れ出しを効果的に阻止し、防水、血阻止、透気といった三者が共存する目的を実現する前提で、生理用ナプキン製品の厚さを大幅に低減し、他方、高分子複合ＳＭＳ不織布層の設計により大吸収量の生理用ナプキンの厚さを大幅に低減すると共に、大吸収量の生理用ナプキンによる経血吸収量を確保し向上させて、女性が月経期で着用した後にズボンの臀部から生理用ナプキンを着用した痕跡が見えないようにして、女性、特に職業を持つ女性の生理、職場の特定の需要を解決した。
【図面の簡単な説明】
【００１０】
【図１】防血でき漏れ出しがない液吸収性透気性生理用ナプキンの説明図
【図２】複合ＳＭＳ不織布層の説明図
【図３】透気性液貯蔵コア層の説明図
【考案を実施するための形態】
【００１１】
実施例１：
図１〜３を参照する。肌当接乾燥層１、透気性液貯蔵コア層２、ＳＭＳ防血撥水不織布層３及び底層４を重ねて構成されており、肌当接乾燥層１が透気性液貯蔵コア層２の吸収面に位置し、ＳＭＳ防血撥水不織布層３が透気性液貯蔵コア層２の裏面に位置し、底層４がＳＭＳ防血撥水不織布層３の透気面に位置する、防血でき漏れ出しがない液吸収性透気性生理用ナプキンである。前記ＳＭＳ防血撥水不織布層３は１層のＳＭＳ防血撥水不織布で構成されまたは複数層のＳＭＳ防血撥水不織布を重ねて構成されている。前記底層４の底面に間隔をおいて裏面粘着テープ５が吹き付けられている。前記底層４の両側にフラップ粘着テープ６が吹き付けられている。前記肌当接乾燥層１はスパンレース不織布またはホールパンチング不織布またはホールパンチングフィルムであってよい。その防血でき漏れ出しがない液吸収性透気性生理用ナプキンの製作方法は従来技術であり、ここで詳細に文字説明しない。
【００１２】
前記透気性液貯蔵コア層２は高分子樹脂層２０１と無塵紙２０２を重ねて構成されており、高分子樹脂層２０１が無塵紙２０２に位置する。前記透気性液貯蔵コア層２の表面層は肌当接乾燥層１であり、裏面層はＳＭＳ防血撥水不織布層３であり、即ち、透気性液貯蔵コア層２における無塵紙２０２の裏面はＳＭＳ防血撥水不織布層３である。
【００１３】
前記ＳＭＳ防血撥水不織布は平方メートル当たりのグラム重量が１４−２００グラム／平方メートルである。
【００１４】
実施例２：
実施例１を基礎とし、前記ＳＭＳ防血撥水不織布層３は高分子複合ＳＭＳ不織布層である。前記高分子複合ＳＭＳ不織布層は第１層のＳＭＳ防血撥水複合不織布３０１、高分子樹脂層３０２及び第２層のＳＭＳ防血撥水複合不織布３０３を重ねて構成されており、高分子樹脂層３０２が第１層のＳＭＳ防血撥水複合不織布３０１と第２層のＳＭＳ防血撥水複合不織布３０２の間に位置し、高分子樹脂層３０２の形成方式は敷設成形であってもよく、吹きつけ被覆成形または吹きつけ塗装成形であってもよい。
【００１５】
実施例３：
実施例２を基礎とし、無塵紙は高弾力を有し、柔軟で、手触り、垂れ感が極めて優れ、また極めて高い吸水性と良好な保水性能を有するので、本出願において高分子樹脂層３０２の代わりに無塵紙を用いてもよく、かつ無塵紙が第１層のＳＭＳ防血撥水複合不織布３０１と第２層のＳＭＳ防血撥水複合不織布３０２の間に位置し、そのように透気性液貯蔵コア層２から微量に浸出した経血を吸収し、また無塵紙がこの微量に浸出した経血をロックして外に浸出させない。
【００１６】
上記実施例では本考案の設計構想を詳細に説明したが、これらの説明は、本考案の設計構想を制限せず本考案の設計構想に対する簡単な説明であり、本考案の設計構想から逸脱しないいかなる組合せ、増加または修正も本考案の保護範囲内に含まれる。
【図１】
0003216217.tif 000003
【図２】
0003216217.tif 000004
【図３】
0003216217.tif 000005
【手続補正書】
【提出日】平成30年1月10日(2018.1.10)
【手続補正１】
【補正対象書類名】実用新案登録請求の範囲
【補正対象項目名】請求項６
【補正方法】変更
【補正の内容】
【請求項６】
前記高分子複合ＳＭＳ不織布層は、第１層のＳＭＳ防血撥水複合不織布（３０１）、高分子樹脂層（３０２）及び第２層のＳＭＳ防血撥水複合不織布（３０３）を重ねて構成されていて、高分子樹脂層（３０２）が第１層のＳＭＳ防血撥水複合不織布（３０１）と第２層のＳＭＳ防血撥水複合不織布（３０３）の間に位置する
請求項５に記載の防血でき漏れ出しがない液吸収性透気性生理用ナプキン。